【手続補正書】
【提出日】平成26年1月16日(2014.1.16)
【手続補正１】
【補正対象書類名】特許請求の範囲
【補正対象項目名】請求項２１
【補正方法】変更
【補正の内容】
【請求項２１】
データ解析のためのコンピュータプログラムであって、
１または複数のデータ識別子（ＩＤ）と、各々がプリセットキーおよびプリセット値を含む１または複数のプリセットキー−値ペアとを含む解析対象のデータを受信するための機能と、
前記データＩＤに少なくとも部分的に基づいて、解析対象のデータを取得するための機能と、
前記取得されたデータを１または複数のデータ要素に分割するための機能と、
前記１または複数のプリセットキー−値ペアの１つのプリセットキーに少なくとも部分的に基づいて、前記１または複数のデータ要素を分類するための機能と、
前記１または複数のプリセットキー−値ペアの１つのプリセット値に少なくとも部分的に基づいて、前記分類済みの１または複数のデータ要素を解析するための機能と、
をコンピュータによって実現させる、コンピュータプログラム。
【手続補正２】
【補正対象書類名】明細書
【補正対象項目名】０１３９
【補正方法】変更
【補正の内容】
【０１３９】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
適用例１：データ解析の方法であって、１または複数のデータ識別子（ＩＤ）と、各々がプリセットキーおよびプリセット値を含む１または複数のプリセットキー−値ペアと、を含む解析対象のデータを受信する工程と、前記データＩＤに少なくとも部分的に基づいて、解析対象のデータを取得する工程と、前記取得されたデータを１または複数のデータ要素に分割する工程と、前記１または複数のプリセットキー−値ペアの１つのプリセットキーに少なくとも部分的に基づいて、前記１または複数のデータ要素を分類する工程と、前記１または複数のプリセットキー−値ペアの１つのプリセット値に少なくとも部分的に基づいて、前記分類済みの１または複数のデータ要素を解析する工程と、を備える、方法。
適用例２：適用例１に記載の方法であって、前記プリセットキーは、少なくとも部分的に、前記解析対象のデータの分類方法を示す、方法。
適用例３：適用例１に記載の方法であって、前記プリセット値は、少なくとも部分的に、分類済みのデータの解析方法を示す、方法。
適用例４：適用例１に記載の方法であって、前記データＩＤは、前記解析対象のデータに関連する記憶装置におけるデータアドレス情報を示す、方法。
適用例５：適用例１に記載の方法であって、前記取得されたデータは、１または複数のデータ要素を含み、データ要素はパーティションＩＤによって別のデータ要素から分離されている、方法。
適用例６：適用例５に記載の方法であって、前記パーティションＩＤは、カンマ、セミコロン、および、コロンの内の１または複数を含む、方法。
適用例７：適用例１に記載の方法であって、前記取得されたデータを１または複数のデータ要素に分割する工程は、１または複数のパーティションＩＤに少なくとも部分的に基づく、方法。
適用例８：適用例１に記載の方法であって、前記取得されたデータは、１または複数のデータセットを含み、前記１または複数のデータセットの各々は、１または複数のデータ要素を含む、方法。
適用例９：適用例１に記載の方法であって、さらに、第１のプリセットフィルタ条件を満たさない１または複数の分類済みのデータ要素を放棄する工程を備える、方法。
適用例１０：適用例１に記載の方法であって、前記残った分類済みの１または複数のデータ要素を解析する工程は、１または複数の解析結果を生成し、第２のプリセットフィルタ条件を満たさない前記１または複数の解析結果セットの内の少なくとも１つを放棄する、方法。
適用例１１：適用例１に記載の方法であって、前記プリセットキーは、データ要素に関連付けられたエイリアスに対応する、方法。
適用例１２：適用例１に記載の方法であって、前記解析対象のデータは、マスタサーバから受信される、方法。
適用例１３：適用例１に記載の方法であって、前記解析対象のデータは、メインスレッドモジュールから受信される、方法。
適用例１４：データ解析のためのシステムであって、解析対象のデータを少なくとも１つのスレーブサーバに送信し、前記少なくとも１つのスレーブサーバから解析結果を受信するように構成されている第１のプロセッサを備えるマスタサーバと、１または複数のデータ識別子（ＩＤ）と、各々がプリセットキーおよびプリセット値を含む１または複数のプリセットキー−値ペアとを含む解析対象のデータを前記マスタサーバから受信し、前記データＩＤに少なくとも部分的に基づいて、解析対象のデータを取得し、前記取得されたデータを１または複数のデータ要素に分割し、前記１または複数のプリセットキー−値ペアの１つのプリセットキーに少なくとも部分的に基づいて、前記１または複数のデータ要素を分類し、前記１または複数のプリセットキー−値ペアの１つのプリセット値に少なくとも部分的に基づいて、前記分類された１または複数のデータ要素を解析するように構成されている第２のプロセッサを備えるスレーブサーバと、前記第１のプロセッサに接続され、前記第１のプロセッサに命令を提供するよう構成されている第１のメモリと、前記第２のプロセッサに接続され、前記第２のプロセッサに命令を提供するよう構成されている第２のメモリと、を備える、システム。
適用例１５：適用例１４に記載のシステムであって、前記プリセットキーは、少なくとも部分的に、前記解析対象のデータの分類方法を示す、システム。
適用例１６：適用例１４に記載のシステムであって、前記プリセット値は、少なくとも部分的に、分類されたデータの解析方法を示す、システム。
適用例１７：適用例１４に記載のシステムであって、前記取得されたデータは、１または複数のデータセットを含み、前記１または複数のデータセットの各々は、１または複数のデータ要素を含む、システム。
適用例１８：適用例１４に記載のシステムであって、前記第２のプロセッサは、さらに、第１のプリセットフィルタ条件を満たさない１または複数の分類済みのデータ要素を放棄するよう構成されている、システム。
適用例１９：適用例１４に記載のシステムであって、前記残った分類済みの１または複数のデータ要素を解析するよう構成されている前記第２のプロセッサは、１または複数の解析結果を生成し、第２のプリセットフィルタ条件を満たさない前記１または複数の解析結果セットの内の少なくとも１つを放棄するよう構成されていることを含む、システム。
適用例２０：適用例１９に記載のシステムであって、前記第２プロセッサは、さらに、少なくとも１つの解析結果セットを前記マスタサーバに送信するよう構成されている、システム。
適用例２１：データ解析のためのコンピュータプログラム製品であって、コンピュータ読み取り可能な媒体内に具現化され、１または複数のデータ識別子（ＩＤ）と、各々がプリセットキーおよびプリセット値を含む１または複数のプリセットキー−値ペアとを含む解析対象のデータを受信するためのコンピュータ命令と、前記データＩＤに少なくとも部分的に基づいて、解析対象のデータを取得するためのコンピュータ命令と、前記取得されたデータを１または複数のデータ要素に分割するためのコンピュータ命令と、前記１または複数のプリセットキー−値ペアの１つのプリセットキーに少なくとも部分的に基づいて、前記１または複数のデータ要素を分類するためのコンピュータ命令と、前記１または複数のプリセットキー−値ペアの１つのプリセット値に少なくとも部分的に基づいて、前記分類済みの１または複数のデータ要素を解析するためのコンピュータ命令と、を備える、コンピュータプログラム製品。